(57)【要約】    【課題】  前後に分割され、ヒンジ部で結合される構成を有する鍵盤蓋体を備えた鍵盤楽器において、鍵盤蓋体の蓋下がりを防止できる鍵盤楽器を提供すること。    【解決手段】  楽器本体と、前記楽器本体に対して開閉自在に装着された演奏操作される鍵盤を覆うための鍵盤蓋体とを備えた鍵盤楽器において、前記鍵盤蓋体を、前記楽器本体に対し第１ヒンジ部で回動自在とし、さらに前記第１ヒンジ部に近い第１蓋部と、前記第１ヒンジ部から遠い第２蓋部とに分割し、全体の中間部で第２ヒンジ部により前記第１蓋部及び第２蓋部を回動自在に結合するとともに、前記両蓋部のいずれか一方に固着され、いずれか他方に延設した蓋支持部材を設けた。【選択図】    図２
2005221543.tif 000002
【特許請求の範囲】
【請求項１】
楽器本体と、前記楽器本体に対して開閉自在に装着された演奏操作される鍵盤を覆うための鍵盤蓋体とを備えた鍵盤楽器であって、
前記鍵盤蓋体が、前記楽器本体に対し第１ヒンジ部で回動自在であり、前記第１ヒンジ部に近い第１蓋部と、前記第１ヒンジ部から遠い第２蓋部とに分割され、全体の中間部で第２ヒンジ部により前記第１蓋部及び第２蓋部を回動自在に結合しており、
さらに、前記両蓋部のいずれか一方に固着され、いずれか他方に延設した蓋支持部材を備えており、前記蓋支持部材にて、前記鍵盤蓋体の閉蓋時に、該鍵盤蓋体の蓋下がりを防止するようにしたことを特徴とする鍵盤楽器。
【請求項２】
楽器本体と、前記楽器本体に対して開閉自在に装着された演奏操作される鍵盤を覆うための鍵盤蓋体とを備えた鍵盤楽器であって、
前記鍵盤蓋体が、前記楽器本体に対し第１ヒンジ部で回動自在であり、前記第１ヒンジ部に近い第１蓋部と、前記第１ヒンジ部から遠い第２蓋部とに分割され、全体の中間部で第２ヒンジ部により前記第１蓋部及び第２蓋部を回動自在に結合しており、
さらに、前記両蓋部のいずれか一方に固着され、いずれか他方に延設した譜面板を設け、
前記第１蓋部及び第２蓋部が当接する方向に、前記鍵盤蓋体を折りたたんで開蓋した際に、前記譜面板が立設するように構成したことを特徴とする鍵盤楽器。
【請求項３】
前記蓋支持部材または譜面板が、前記第１蓋部において、閉蓋時に鍵盤と対向する面側に固着されていることを特徴とする請求項１または２に記載の鍵盤楽器。
【請求項４】
前記蓋支持部材または譜面板が、前記第２蓋部において、閉蓋時に外側を向く面に固着されていることを特徴とする請求項１または２に記載の鍵盤楽器。
【発明の詳細な説明】
【技術分野】
【０００１】
本発明は、電子ピアノ、電子オルガン等の電子鍵盤楽器の他、アコースティックピアノ、パイプオルガン、チェンバロ、チェレスタ等の鍵盤楽器に関する。
【背景技術】
【０００２】
一般的な鍵盤楽器においては、鍵盤の保護を図るために蓋体が設けられている。この場合、音色スイッチ等を有するパネル部をも覆うように構成すると、蓋体の奥行長が大となり、これを回転式に形成すれば、開蓋時に蓋体を鍵盤の後方に立設させることとなる。しかしながら、このような構造では、演奏者に対して圧迫感があるのみならず、閉蓋動作時における閉蓋直前状態で重量が大きくなるため、危険を伴うことがあった。
【０００３】
一方で、鍵盤楽器の小型化・コンパクト化等の要請が高まり、近年では、蓋体を前後に分割し、折りたたむように回動させる鍵盤楽器が提案されている。このような構成の鍵盤楽器によれば、蓋体がその開蓋時において鍵盤楽器の奥行き方向に突出する長さを短くすることができる。（例えば、特許文献１）
【０００４】
特許文献１に記載の鍵盤楽器は、上ケースと下ケースとで楽器ケースを形成し、上ケースにおいて第１の薄肉ヒンジ部で一体に形成した蓋体を有している。この蓋体は、一体に形成され、ほぼ中央で２つ折れ可能な第２の薄肉ヒンジ部で接続されて形成されている。この蓋体は、鍵自由端部側を自由端とし、この自由端部を持ち上げると、蓋が立設する方向に移動し、中央に形成した第２の薄肉ヒンジ部を開蓋する回転方向に折り曲げながら、自由端を上ケースに設けたくぼみに当接させることで、２つ折りにした蓋体を上ケース上に立設することができるようになっている。
【特許文献１】実公平３−２２７８１号公報
【発明の開示】
【発明が解決しようとする課題】
【０００５】
しかしながら、特許文献１に記載の鍵盤楽器は、蓋中央の薄肉ヒンジによって閉蓋状態と開蓋状態とを呈する構造であるため、閉蓋状態において、蓋体が前記ヒンジ部の下がった蓋下がりの状態となるのを防止できない。そのため、鍵盤楽器の外観が安っぽい印象を与えるだけでなく、蓋部を結合するヒンジ部の破損が生じ易くなるという問題がある。
【０００６】
さらに、前述の従来の鍵盤楽器はポータブル用に使用されるものであり、鍵長さ方向の長さが基本的に短く形成されている。その上、２つ折れ構造を有する蓋体を折り状態として使用し、演奏を行うものである。したがって、特許文献１に記載の２つ折れ構造を有する蓋体は、高さの低い譜面なら辛うじて置くことができるが、通常またはそれ以上の高さを有する譜面を載置することはできない。すなわち、前述のような従来の蓋体においては、その立設時（開蓋時）においてヒンジ部を介して折りたたまれているため、譜面を立てかける譜面板として用いる場合に高さが十分でない。
【０００７】
本発明は、このような問題点を鑑みてなされたもので、前後に分割され、ヒンジ部で結合された構成を有する鍵盤蓋体を備えた鍵盤楽器において、鍵盤蓋体の蓋下がりを防止できる鍵盤楽器を提供することを目的としている。さらに、前述のような構成を有する鍵盤蓋体を備えた鍵盤楽器であって、前記鍵盤蓋体が開蓋時において十分な高さを有する譜面板として使用可能な鍵盤楽器を提供することをも目的としている。
【課題を解決するための手段】
【０００８】
本発明は、上記目的を達成するために、楽器本体と、前記楽器本体に対して開閉自在に装着された演奏操作される鍵盤を覆うための鍵盤蓋体とを備えた鍵盤楽器であって、前記鍵盤蓋体が、前記楽器本体に対し第１ヒンジ部で回動自在であり、前記第１ヒンジ部に近い第１蓋部と、前記第１ヒンジ部から遠い第２蓋部とに分割され、全体の中間部で第２ヒンジ部により前記第１蓋部及び第２蓋部を回動自在に結合しており、さらに、前記両蓋部のいずれか一方に固着され、いずれか他方に延設した蓋支持部材を備えており、前記蓋支持部材にて、前記鍵盤蓋体の閉蓋時に、該鍵盤蓋体の蓋下がりを防止するようにしたことを特徴とする鍵盤楽器を提供する。（発明１）
【０００９】
また、本出願は、楽器本体と、前記楽器本体に対して開閉自在に装着された演奏操作される鍵盤を覆うための鍵盤蓋体とを備えた鍵盤楽器であって、前記鍵盤蓋体が、前記楽器本体に対し第１ヒンジ部で回動自在であり、前記第１ヒンジ部に近い第１蓋部と、前記第１ヒンジ部から遠い第２蓋部とに分割され、全体の中間部で第２ヒンジ部により前記第１蓋部及び第２蓋部を回動自在に結合しており、さらに、前記両蓋部のいずれか一方に固着され、いずれか他方に延設した譜面板を設け、前記第１蓋部及び第２蓋部が当接する方向に、前記鍵盤蓋体を折りたたんで開蓋した際に、前記譜面板が立設するように構成したことを特徴とする鍵盤楽器をも提供する。（発明２）
【００１０】
また、前記鍵盤楽器において、前記蓋支持部材または譜面板が、前記第１蓋部において、閉蓋時に鍵盤と対向する面側に固着されていてもよい。（発明３）
【００１１】
また、前記鍵盤楽器において、前記蓋支持部材または譜面板が、前記第２蓋部において、閉蓋時に外側を向く面に固着されていてもよい。（発明４）
【発明の効果】
【００１２】
発明１のような構成を有する鍵盤楽器によると、鍵盤蓋体の閉蓋時において、蓋支持部材が固着された側の蓋部が他方の蓋部を支持し、第１蓋部と第２蓋部とが略同一面上に保持されるため、前述のような蓋下がりのを防止することができる。そのため、第１蓋部と第２蓋部とを結合するヒンジ部の破損が生じ難くなるとともに、鍵盤蓋体を楽器本体に対して正確に閉じることができ、さらに、鍵盤楽器に高級感を与えることが可能になる。
【００１３】
また、発明２のような構成を有する鍵盤楽器によると、前記鍵盤蓋体を開蓋状態とした際に、折りたたんだ蓋体から上方に突出した状態で、前記譜面板が立設する。したがって、鍵盤蓋体の高さ以上の大型の譜面をも支持することができる。
【００１４】
また、発明３のような構成を有する鍵盤楽器によると、鍵盤蓋体の開蓋時に、第２蓋部が第１蓋部の外面上に折りたたまれた状態で回動し、立設される。この時、第２蓋部が第１蓋部の後方に立設配置されるため、第１ヒンジ部より前方で鍵盤部より後方に楽音制御子等を配設することが可能になる。
【００１５】
また、発明４のような構成を有する鍵盤楽器によると、第２蓋部を持ち上げ、両蓋部の下面側を対向するように近づけつつ、後方に押し出すように移動させるという簡単な動作で鍵盤蓋体を開蓋状態とすることができる。
【発明を実施するための最良の形態】
【００１６】
以下、本発明を電子鍵盤楽器に適用した第１の実施形態について添付図面を参照しつつ説明する。なお説明に用いる図面においては、同一又は同種の部分に同じ番号を付して説明を省略することがある。
【実施例１】
【００１７】
図１は、本発明に係る電子鍵盤楽器の正面図であり、線Ｌの左側においては鍵盤蓋体を閉じた状態、右側においては鍵盤蓋体を開いた状態を表している。図２は、図１に示された電子鍵盤楽器の鍵盤蓋体部分を拡大して示す側面図である。なお、本明細書中では電子鍵盤楽器において、演奏者側を「前」、背板側を「後」と称し、「右」及び「左」で指す方向は、前記演奏者側から見た方向であるものとする。
【００１８】
図１及び図２に示すように、電子鍵盤楽器１は、楽器本体２及び鍵盤蓋体３を備えている。楽器本体２は、底部を形成する棚板２１と、その前端の口棒７と、背板８と、一対の側板９と、脚１０とによって略箱形に形成されている。そして楽器本体２の棚板２１上には、鍵盤４（白鍵４ａ及び黒鍵４ｂ）が配設され、操作部５の上面には、楽音パラメータ設定素子群（５１，５１，．．．）が配設されている。また、操作部５の後方には、鍵盤蓋体３を保持するための台座としての固定板６が固定されている。
【００１９】
さらに、楽器本体２には、メインスピーカを収容した後脚としてのスピーカボックスＳＰ１、ＳＰ２と、それらの中央に位置した電源及びアンプ、ペダルを収納した中央ボックスＣとを集成している。
【００２０】
図２に示すように、鍵盤蓋体３は、その前後方向の中間部において第１蓋部３１及び第２蓋部３２に分割されており、互いの外面Ｓ１，Ｓ２に取り付けられた第２ヒンジ部３６によって上方（矢印Ｐの方向）に回動自在となるように連結されている。第２蓋部３２の前端には、閉蓋時に鍵盤４と対向する内面において、この第２蓋部３２から垂直に延びる鍵盤隠し部３２ａが取り付けられており、この鍵盤隠し部３２ａによって、鍵盤４の前端が覆われるようになっている。第１蓋部３１の後端部は、固定板６に対し第１ヒンジ部３５を介して回動自在に連結されている。なお、本発明でいう「鍵盤蓋体全体の中間部」とは、閉蓋時における鍵盤蓋体の前後方向についての任意の地点を表すものであって、前後方向についての中心付近のみに限定されるものではない。すなわち、前記鍵盤蓋体は、第１蓋部３１及び第２蓋部３２の大きさや形状が異なるように分割されていてもよい。
【００２１】
一方、第１蓋部３１の内面には、板状の蓋支持部材３３が接着またはネジ止めにより取り付けられている。この蓋支持部材３３は、第２ヒンジ部３６を越えて第２蓋部３２の中央付近まで延びている。このとき、蓋支持部材３３は、第２蓋部３２の自重の一部を受け止めることができる程度の長さで、かつ鍵盤蓋体３の開蓋時に譜面板として使用可能な長さだけ、第２蓋部３２に向かって延設する。また、第１蓋部３１の内面には、板状に形成された譜面受け部材３８が中ヒンジ部３７を介して取り付けられ、折りたたまれて蓋支持部材３３に当接する位置から、第１蓋部３１と９０度の角度をなす位置まで、回動自在となっている。譜面受け部材３８の自由端側には、蓋支持部材を開いた際に上向きに凸の、譜面を載置した際に止め部として作用する突起部３８ａが設けられている。また、前記中ヒンジ部３７は、第１蓋部３１の内面上において、蓋支持部材３３の立設時に、蓋支持部材３３の下方となる位置に取り付けられる。
【００２２】
さらに、図２に示すように、閉蓋時において、第２蓋部３２は第１蓋部３１より延びる蓋支持部材３３に支持され、第１蓋部３１と第２蓋部３２とが略同一面に保持された状態となっている。このとき、鍵盤隠し部３２ａは、楽器本体２に当接し、鍵盤４を隠すとともに、鍵盤蓋体３をほぼ水平状態に支持する。また、譜面受け部材３８は蓋支持部材３３と当接し、折りたたまれた状態で、操作部５の前端上面５ａにも当接する。すなわち、第２蓋部３２の自重は第１蓋部３１に固着された蓋支持部材３３によって支持され、鍵盤蓋体３が水平に保持される。このとき、蓋支持部材３３で支持する第２蓋部３２の重量は、譜面受け部材３８と、操作部５の前端上面５ａとの接点や、第２蓋部３２に取り付けられた鍵盤隠し部３２ａと、口棒７との接点において支えられている。
【００２３】
次に、上記のように構成された鍵盤蓋体３の開閉操作について図３及び図４を用いて説明する。図３は鍵盤蓋体３が開く際の動作を、図４は鍵盤蓋体４が閉じる際の動作を、側面図により示すものである。
【００２４】
鍵盤蓋体３を開蓋状態にするには、次のように行う。まず、図３（Ａ）に示すように、第２蓋部３２を上方（矢印Ｐの方向）に回動させ、第１蓋部３１及び第２蓋部３２の外面同士が当接するように折りたたむ。続いて、これらを折りたたんだ状態で上方に回動し、図３（Ｂ）に示すように、鍵盤隠し部３２ａを固定板６の上面に当接させる。これにより、鍵盤蓋体３は、立設した状態に保持され、開蓋状態となる。このとき、蓋支持部材３３において第２蓋部３２側に延びていた部分は、第２ヒンジ部３６を超えて鍵盤蓋体３から上方へ延びた状態となる。また、鍵盤蓋体３を立設させた後に、譜面受け部材３８を前方へ回動させて蓋支持部材３３と直交する位置まで開くと、この譜面受け部材３８及び蓋支持部材３３によって譜面台が構成される。
【００２５】
次に、図３（Ｂ）の状態にある鍵盤蓋体３を、図２に示すような閉蓋状態に戻す際の手順について図４に示す側面図を用いて説明する。まず、第２蓋部３２及び第１蓋部３１を折りたたんだ状態で第１ヒンジ部３５を中心として前方に回動させる。このとき、図４（Ａ）に示すように、開いた状態にある譜面受け部材３８は操作部５の表面の前端上面５ａに接するため、この状態からさらに第１蓋部３１及び第２蓋部３２を前方に回動すると、譜面受け部材３８は蓋支持部材３３に近づく方向に回動し、自動的に折りたたまれる。このようにして第１蓋部３１及び第２蓋部３２を折りたたんだ状態で鍵盤蓋体３を閉じた後、第２蓋部３２を第２ヒンジ部３６を介して回動させると、鍵盤蓋体３が完全に閉蓋状態となる（図４（Ｂ）参照）。
【００２６】
このように、本実施形態によれば、鍵盤蓋体３の第１蓋部３１に設けられた蓋支持部材３３によって、第２蓋部３２が支持されているため、鍵盤蓋体３を閉じたときに第２蓋部３２及び第１蓋部３１が略同一面上に保持される。その結果、閉蓋時に鍵盤蓋体３が蓋下がりとなるのを防止でき、閉蓋時の外観が損なわれるという従来の問題を解消することができる。また、閉蓋時において、第２蓋部３２が蓋支持部材３３によって支持されるため、第２ヒンジ部３６にかかる荷重の負担を低減させることができ、鍵盤蓋体３を長期間使用しても第２ヒンジ部３６が破損し難くなる。また、鍵盤蓋体３全体の重量を、譜面受け部材３８と操作部５の前端上面５ａとの接点のみならず、鍵盤隠し部３２ａと口棒７との接点等の他の支持点に分散しているため、一部の支持点のみに鍵盤蓋体３の重量を過度に負荷することがない。これによって、鍵盤蓋体３の過剰な重量負荷に起因するヒンジ部等の破損が生じる恐れがなくなる。
【００２７】
さらに、このような鍵盤楽器においては、鍵盤蓋体３を開いた際に、蓋支持部材３３は折りたたんだ鍵盤蓋体から上方に突出しているため、大型の譜面を十分に支持可能な譜面板として用いることができる。
【００２８】
また、鍵盤蓋体３の開蓋時に、第２蓋部３２が第１蓋部３１の後方に位置するため、楽器本体２の上面のスペースを広く確保することができる。さらに本実施形態では、譜面受け部材３８を操作部５の表面上ではなく第１蓋部３１に取り付け、操作部５の上方の空間を広く確保している。このように鍵盤蓋体３を構成した場合、楽器本体２（操作部５）上に楽音パラメータ設定素子群を配置する領域が十分確保可能になる。
【００２９】
さらに、本実施形態では、第２蓋部３２の鍵盤隠し部３２ａを鍵盤蓋体３を立設させるための支点としているため、鍵盤蓋体３の立設状態を支えるために、楽器本体２の背板８等と、鍵盤蓋体３とを当接させていない。従って、楽器本体２や鍵盤蓋体３の表面を傷付ける恐れがなくなる。
【００３０】
また、鍵盤蓋体３全体の重量を分散的に支持する支持点は、前述のような譜面受け部材３８と操作部５の前端上面５ａとの接点、鍵盤隠し部３２ａと口棒７との接点に限られるものではない。例えば、第１ヒンジ部３５の羽根部分を大きくし、第１ヒンジ部３５を介して連結された第１蓋部３１の端部と固定板６との接点において閉蓋時の鍵盤蓋体３の重量を支持するようにしてもよい。また、鍵盤蓋体３や楽器本体２の形状に応じて、鍵盤蓋体３と楽器本体２とが接触するような接点を別途設け、この接点を楽器本体３の重量を支持する支持点としてもよい。また、必ずしもこれらの接点を全て鍵盤蓋体３の支持点として作用させる必要はなく、鍵盤蓋体３の重量や形状等の条件に応じて、鍵盤蓋体３が蓋下がりの状態とならないように、支持点として作用する接点を選択することもできる。
【００３１】
なお、蓋支持部材３３の形状や幅（演奏者から見た左右方向の長さ）、材質等については前述の実施形態に限られるものではなく、第２蓋部３２を支持するための強度を考慮して適宜選択される。また、蓋支持部材３３を譜面板として使用する場合は、その使用勝手やデザイン性を考慮して設計することが好ましい。また、譜面受け部材３８の結合位置や厚さは、鍵盤蓋体３の閉蓋時において、譜面受け部材３８を折りたたんだ際に鍵盤４や操作部５等の表面（上面）と、第１蓋部３１及び第２蓋部３２の裏面（閉蓋時の下面）との間に収まるように決定することは言うまでもない。
【実施例２】
【００３２】
次に、本発明を電子鍵盤楽器に適用した第２の実施形態について、図５を参照しつつ説明する。図５（Ａ）は、前述の第２の実施形態を示すものであって、鍵盤蓋体３を開き、鍵盤隠し部３２ａを支点として立設させた状態を示す側面図である。同様に、図５（Ｂ）に示す側面図は、鍵盤蓋体３を閉じる様子を示している。この実施形態が図１〜４に示す第１の実施形態と相違する点は、蓋支持部材３３が第２蓋部３２の内面に接着またはネジ止めにより固着され、第１蓋部３１側に延設している点であり、その他の構成については同一である。
【００３３】
図５（Ａ）に示される開蓋状態の鍵盤蓋体３を閉じる場合、第１蓋部３１及び第２蓋部３２を折りたたんだ状態のまま若干前方に傾け、第２蓋部３２を第２ヒンジ部３６について回動させ、第２蓋部３２及び第１蓋部３１を同一平面にする。このとき、図５（Ｂ）に示されるように、蓋支持部材３３は前蓋部から突出した部分が第１蓋部３１と譜面受け部材３８との間に入り込む。この状態で、さらに鍵盤蓋体３を倒伏させると、第１の実施形態の場合と同様に、譜面受け部材３８が操作部５の表面の前端上面５ａに接し、蓋支持部材３３に近づくように回動を開始する。鍵盤蓋体３が完全に閉じられた状態になると、譜面受け部材３８は蓋支持部材３３に当接するように折りたたまれる。このように、閉蓋時において、蓋支持部材３３は第１蓋部３１の内面（閉蓋時の下面）に接するように畳まれ、譜面受け部材３８を介して操作部５の前端上面５ａから押圧される。これによって、蓋支持部材３３で支持する第２蓋部３２の重量の一部は、譜面受け部材３８と、操作部５の前端上面５ａとの接点において支持される。また、前記第２蓋部３２の重量は、第２蓋部３２に取り付けられた鍵盤隠し部３２ａと、口棒７との接点等においても支持される。
【００３４】
この実施形態においても、前述の第１の実施形態と同様の効果を得ることができる。すなわち、第１蓋部３１及び第２蓋部３２は、蓋支持部材３３によって水平に維持されるため、鍵盤蓋体３が蓋下がり状態となることがない。また、開蓋時に第１蓋部３１に固着された蓋支持部材３３が折りたたまれた蓋体を超えて上方に伸びるため、高さの大きな譜面板として使用することができる。なお、鍵盤蓋体３の立設状態は、鍵盤隠し部３２ａによってではなく、第１蓋部３１または蓋支持部材３３を、背板８に当接させることによって支持することも可能である。
【００３５】
また、図５（Ａ）から明らかなように、本実施形態においては、第１の実施形態と比して、さらに次のような効果を得ることができる。すなわち、蓋支持部材３３は、第１蓋部３１及び第２蓋部３２の厚さ分にほぼ等しい長さ（Δｄ）だけ、後方向（奥行き方向）に位置している。そのため、第２蓋部３２から突出した蓋支持部材３３と、譜面受け部材３８とで形成される譜面台は、鍵盤楽器１の前後方向について十分な奥行き幅を確保する。したがって、この譜面台に譜面Ｓを載置した際に、譜面Ｓを立て掛ける傾斜角度を十分に大きくとることができるため、譜面を安定して載置することができる。
【実施例３】
【００３６】
次に、本発明を電子鍵盤楽器に適用した第３の実施形態について、図６に示された側面図を参照しつつ説明する。この実施形態が前述の第１及び第２の実施形態と相違する点は、蓋支持部材３３’を第２蓋部３２の上面側に一体的に設けた点及び、第２ヒンジ部３６を第２蓋部３２の内面に設けた点である。これによって、第２蓋部３２は、前ヒンジ３６を支点として第１蓋部３１に対して内側に回動する。また、本実施形態において、蓋支持部材３３’は第２蓋部３２と一体的に形成されており、鍵盤蓋体３の閉蓋時において、蓋支持部材３３’は第１蓋部３１の上面を覆うように形成されている。さらに、操作部５の上面には彫り込みによって凹部（譜面受け部）５ｂが設けられている。
【００３７】
この実施形態においても、鍵盤蓋体３の第１蓋部３１及び第２蓋部３２の重量は、譜面受け部材３８と、操作部５の前端上面５ａとの接点や、鍵盤隠し部３２ａと口棒７との接点、第１ヒンジ部３５を介した第１蓋部３１と固定板６との連結点等によって支持されている。さらに、蓋支持部材３３’の内面（閉蓋時の下面）が第１蓋部３１の外面（閉蓋時の上面）に接し、これらの面の接点が支持点として作用するため、鍵盤蓋体３が第２ヒンジ部３６の下がった蓋下がりの状態となるのを防止することができる。
【００３８】
また、この実施形態における開蓋操作は、まず、図６（Ａ）に示すように、第２蓋部３２を持ち上げ、両蓋部３１，３２の内面同士を対向させるように近づけつつ、これらを後方に押し出すように移動させる。これによって、鍵盤蓋体３を第２ヒンジ部３６を頂点とした逆Ｖ字形に折りたたむことができる。このとき、図６（Ｂ）に示すように、鍵盤隠し部３２ａは操作部５の上面に当接しているので、鍵盤蓋体３を立設させることができる。こうして、鍵盤蓋体３の開蓋時には、前蓋部３に形成された蓋支持部材３３’と、凹部５ｂとによって譜面台が形成される。
【００３９】
なお、第２蓋部３２の長さ（閉蓋時の前後方向の長さ）Ｌ2は、鍵盤４の見え懸かり部分の長さＬ1よりも長くなるように形成されている。このように、第２蓋部３２の長さを十分大きく確保することによって、蓋支持部材３３’が鍵盤蓋体３の立設時に譜面板として機能しやすくなる。さらに、この状態で第２蓋部３２が前方に移動しないように、操作部５の表面の第２蓋部３２が接する位置に突起や溝を設けるか、紙やすりのような粗い表面を有するテープを貼り付けることで、第２蓋部３２を係止させるとより好適である。
【００４０】
本実施形態によると、簡単な動作で鍵盤蓋体３を開蓋状態とすることができるとともに、操作部５上に予め凹部５ｂを形成しておくことで、鍵盤蓋体３に譜面受け部材を設けることなく、譜面台を形成することができる。従って、鍵盤蓋体３の構成が簡略化でき、低コストで作成できるというメリットがある。また、蓋支持部材３３を第１蓋部３１全体を覆うように形成しているため、第２蓋部３２と第１蓋部３１との段差等が表面に現れず、閉蓋時の見栄えを損なうことが無い。
【００４１】
また、必ずしも蓋支持部材３３が第１蓋部３１の全面を覆う必要は無い。例えば、図７に示すように、第２蓋部３２と一体に形成された蓋支持部材３３”と完全に嵌合する凹部を第１蓋部３１に設け、閉蓋時に第２蓋部３２及び第１蓋部３１が同一平面を形成するようにしてもよい。
【００４２】
なお、本発明は、閉蓋時において第１蓋部３１と第２蓋部３２とが同一平面を形成されるものに限られるものではなく、上に凸または下に凸に湾曲した曲面を形成するような鍵盤蓋体であってもよい。すなわち、閉蓋時に蓋支持部材３３の上面と第１蓋部３１の下面とが当接し、または蓋支持部材３３の下面が第１蓋部３１の上面と当接し、鍵盤蓋体３の蓋下がりを防止する支持点として作用すればよい。鍵盤蓋体をこのような構成とすることで、その閉蓋時に鍵盤蓋体が蓋下がり状態となるのを確実に防止することができる。
【図面の簡単な説明】
【００４３】
【図１】本発明に係る鍵盤楽器の第１の実施形態についての正面図である。
【図２】本発明に係る鍵盤楽器の第１の実施形態について、鍵盤蓋体部分の詳細を示す側面図である。
【図３】図１及び図２に示す実施形態において、鍵盤蓋体が開かれる際の動作を示す側面図である。
【図４】図１及び図２に示す実施形態において、鍵盤蓋体が閉じられる際の動作を示す側面図である。
【図５】本発明に係る鍵盤楽器の第２の実施形態について、鍵盤蓋体部分の詳細を示す側面図である。
【図６】本発明に係る鍵盤楽器の第３の実施形態について、鍵盤蓋体部分の詳細を示す側面図である。
【図７】本発明に係る鍵盤楽器の第３の実施形態の変形例について、鍵盤蓋体部分を拡大して示す斜視図である。
【符号の説明】
【００４４】
１：鍵盤楽器、  ２：楽器本体、  ３：鍵盤蓋体、  ４：鍵盤、
４ａ：白鍵、  ４ｂ：黒鍵、  ５：操作部、  ５ａ：前端上面、
５ｂ：凹部（譜面受け部）、  ６：固定板、  ７：口棒、  ８：背板、９：側  板、    １０：脚、  ３１：第１蓋部、  ３２：第２蓋部、
３２ａ：鍵盤隠し部、  ３３、３３’、３３”：蓋支持部材（譜面板）、３５  ：第１ヒンジ部、  ３６：第２ヒンジ部、  ３７：中ヒンジ部、  ３８：譜面  受け部材、  ３８ａ：突起部、  ５１：楽音パラメータ設定素子、  Ｓ：譜面  、  ＳＰ１，ＳＰ２：スピーカボックス、  Ｃ：中央ボックス、  Ｓ１，Ｓ２：外面
【図１】
2005221543.tif 000003
【図２】
2005221543.tif 000004
【図３】
2005221543.tif 000005
【図４】
2005221543.tif 000006
【図５】
2005221543.tif 000007
【図６】
2005221543.tif 000008
【図７】
2005221543.tif 000009